(57)【要約】【課題】ユーザーが必要に応じて高さを調整出来るヨガボディービル補助器を提供する。【解決手段】ヨガパッドが含有され、当該補助器は、基部に支持板が結合されることにより構成され、当該支持板は、円弧状の板であり、表面に滑り止め図柄が設けられ、支持板の下方に調高レバーと調低レバーが軸設され、当該調高レバーと調低レバーが冂型レバーで、支持板に軸設穴が設けられ、調高レバーと調低レバーの端部が軸設穴に軸設され、また、当該基部の上に予めに複数の槽が設けられ、槽の両側に、必要に応じて調高レバーや調低レバーを選択するための突出状のストッパーがあり、基部の槽とストッパーによって位置付けられ、必要に応じて高さを調整出来るヨガボディービル補助器である。【選択図】図２
0003119050.tif 000002
【実用新案登録請求の範囲】
【請求項１】
ヨガパッドと補助器が含有され、当該補助器は、基部に支持板が結合されることにより構成され、当該支持板は、円弧状の板であり、表面に滑り止め図柄が設けられ、支持板の下方に調高レバーと一調低レバーが軸設され、当該調高レバーと調低レバーが冂型レバーで、支持板に軸設穴が設けられ、調高レバーと調低レバーの端部が軸設穴に軸設され、また、当該基部の上に予めに複数の槽が設けられ、槽の両側に、必要に応じて調高レバーや調低レバーを選択するための突出状のストッパーがあり、基部の槽とストッパーによって位置付けられ、必要に応じて高さを調整出来る
ことを特徴とするヨガボディービル補助器。
【請求項２】
支持板は、ボルトにより基部に固定されることを特徴とする請求項１に記載のヨガボディービル補助器。
【考案の詳細な説明】
【技術分野】
【０００１】
本考案は、ヨガボディービル補助器に関し、特に、ヨガパッドと補助器が含有され、補助器に調高レバーと調低レバーが設けられ、必要に応じて高さを調整できるものに関する。
【背景技術】
【０００２】
一般、人がヨガ運動する時、ユーザーが、ヨガパッドを地面に置いてヨガ運動をし、良く見られるのは、ヨガ運動者がタオルにより様々のヨガ動作を実施するが、ヨガ動作を実施する時、次のような欠点がある。
【０００３】
初心者にとって、タオルで伸展動作を実施する時、動作が大きすぎるか動作が熟練しないため、体の筋肉が傷つける恐れがあり、ヨガ運動により逆効果が得られる欠点がある。
【考案の開示】
【考案が解決しようとする課題】
【０００４】
本考案の目的は、ユーザーが必要に応じて高さを調整出来るヨガボディービル補助器を提供する。
【課題を解決するための手段】
【０００５】
ヨガパッドが含有され、当該補助器は、基部に支持板が結合されることにより構成され、当該支持板は、円弧状の板であり、表面に滑り止め図柄が設けられ、支持板の下方に調高レバーと調低レバーが軸設され、当該調高レバーと調低レバーが冂型レバーで、支持板に軸設穴が設けられ、調高レバーと調低レバーの端部が軸設穴に軸設され、また、当該基部の上に予めに複数の槽が設けられ、槽の両側に、必要に応じて調高レバーや調低レバーを選択するための突出状のストッパーがあり、基部の槽とストッパーによって位置付けられ、必要に応じて高さを調整出来るヨガボディービル補助器である。
【考案を実施するための最良の形態】
【０００６】
図１〜４を参照しながら、ヨガパッド１と補助器２が含有され(図１のように)、当該補助器２は、基部２０に支持板２１が結合されることにより構成され、支持板２１は、ボルト３により基部２０に固定され、当該支持板２１は、円弧状の板であり、表面に滑り止め図柄２２が設けられ、支持板２１の下方に調高レバー２３と調低レバー２４が軸設され、当該調高レバー２３と調低レバー２４が冂型レバーで、支持板２１に軸設穴４が設けられ、調高レバー２３と調低レバー２４の端部５が支持板２１の軸設穴４に軸設され(図４のように)、また、当該基部２０の上に、予めに複数の槽２５が設けられ、槽２５の両側に、必要に応じて調高レバー２３や調低レバー２４を選択するための突出状のストッパー２６があり、基部２０の槽２５とストッパー２６によって位置付けられ、必要に応じて高さを調整出来るヨガボディービル補助器である(図２、３のように)。
【０００７】
図５、６を参照しながら、補助器２とヨガパッド１とを使用する時、当該補助器２の調高レバー２３や調低レバー２４により、ヨガ動作に合わせて、支持板２１を高い位置(図５のように)や低い位置(図６のように)に調整することにより、ヨガ動作に補助する効果が得られる。
【０００８】
図７を参照しながら、ユーザーが、ヨガパッド１と補助器２を使用して、脚引張りの動作をする時、当該補助器２の支持板２１により基部２０が閉じされたため、補助器２の上方に平伏して、ヨガ動作に補助する効果が得られる。
【０００９】
図８を参照しながら、ユーザーが、ヨガパッド１と補助器２を使用して、横向きのヨガ動作をする時、補助器２の調低レバー２４が基部の槽２５とストッパー２６によって位置付けられるため、必要に応じて、支持板２１の位置が調整される。
【００１０】
図９を参照しながら、ユーザーが、ヨガパッド１と補助器２を使用して、手挙げのヨガ動作をする時、補助器２の調低レバー２４が基部の槽２５とストッパー２６によって位置付けられるため、必要に応じて、支持板２１の位置が調整され、また、タオル６を利用することが出来る。
【００１１】
図１０を参照しながら、ユーザーが、ヨガパッド１と補助器２を使用して、脚広き前伏のヨガ動作をする時、補助器２の調低レバー２４が基部の槽２５とストッパー２６によって位置付けられるため、支持板２１の位置が調整される。
【００１２】
図１１を参照しながら、ユーザーが、ヨガパッド１と補助器２を使用して、脚挙げのヨガ動作をする時、補助器２の調高レバー２３が基部の槽２５とストッパー２６によって位置付けられるため、支持板２１の位置が調整され、また、タオル６を利用することが出来る。
【００１３】
図１２を参照しながら、ユーザーが、ヨガパッド１と補助器２を使用して、さか立ち脚挙げのヨガ動作をする時、補助器２の調高レバー２３が基部の槽２５とストッパー２６によって位置付けられるため、支持板２１の位置が調整される。
【図面の簡単な説明】
【００１４】
【図１】本考案の外観概念図
【図２】本考案に係わる補助器の外観図
【図３】本考案に係わる補助器の組立て分解図
【図４】本考案に係わる補助器の組立て断面図
【図５】本考案に係わる実施例の作動断面図
【図６】本考案に係わる他の実施例の作動断面図
【図７】本考案に係わる実施例の使用状態図(１)
【図８】本考案に係わる実施例の使用状態図(２)
【図９】本考案に係わる実施例の使用状態図(３)
【図１０】本考案に係わる実施例の使用状態図(４)
【図１１】本考案に係わる実施例の使用状態図(５)
【図１２】本考案に係わる実施例の使用状態図(６)
【符号の説明】
【００１５】
１            ヨガパッド
２            補助器
２０          基部
２１          支持板
２２          滑り止め図柄
２３          調高レバー
２４          調低レバー
２５          槽
２６          ストッパー
３            ボルト
４            軸設穴
５            端部
６            タオル
【図１】
0003119050.tif 000003
【図２】
0003119050.tif 000004
【図３】
0003119050.tif 000005
【図４】
0003119050.tif 000006
【図５】
0003119050.tif 000007
【図６】
0003119050.tif 000008
【図７】
0003119050.tif 000009
【図８】
0003119050.tif 000010
【図９】
0003119050.tif 000011
【図１０】
0003119050.tif 000012
【図１１】
0003119050.tif 000013
【図１２】
0003119050.tif 000014
【手続補正書】
【提出日】平成17年11月28日(2005.11.28)
【手続補正１】
【補正対象書類名】実用新案登録請求の範囲
【補正対象項目名】請求項１
【補正方法】変更
【補正の内容】
【請求項１】
ヨガパッドと補助器が含有され、当該補助器は、基部に支持板が結合されることにより構成され、当該支持板は、円弧状の板であり、表面に滑り止め図柄が設けられ、支持板の下方に調高レバーと一調低レバーが軸設され、当該調高レバーと調低レバーが門型レバーで、支持板に軸設穴が設けられ、調高レバーと調低レバーの端部が軸設穴に軸設され、また、当該基部の上に予めに複数の槽が設けられ、槽の両側に、必要に応じて調高レバーや調低レバーを選択するための突出状のストッパーがあり、基部の槽とストッパーによって位置付けられ、必要に応じて高さを調整出来る
ことを特徴とするヨガボディービル補助器。
【手続補正２】
【補正対象書類名】明細書
【補正対象項目名】０００５
【補正方法】変更
【補正の内容】
【０００５】
ヨガパッドが含有され、当該補助器は、基部に支持板が結合されることにより構成され、当該支持板は、円弧状の板であり、表面に滑り止め図柄が設けられ、支持板の下方に調高レバーと調低レバーが軸設され、当該調高レバーと調低レバーが門型レバーで、支持板に軸設穴が設けられ、調高レバーと調低レバーの端部が軸設穴に軸設され、また、当該基部の上に予めに複数の槽が設けられ、槽の両側に、必要に応じて調高レバーや調低レバーを選択するための突出状のストッパーがあり、基部の槽とストッパーによって位置付けられ、必要に応じて高さを調整出来るヨガボディービル補助器である。
【手続補正３】
【補正対象書類名】明細書
【補正対象項目名】０００６
【補正方法】変更
【補正の内容】
【０００６】
図１〜４を参照しながら、ヨガパッド１と補助器２が含有され(図１のように)、当該補助器２は、基部２０に支持板２１が結合されることにより構成され、支持板２１は、ボルト３により基部２０に固定され、当該支持板２１は、円弧状の板であり、表面に滑り止め図柄２２が設けられ、支持板２１の下方に調高レバー２３と調低レバー２４が軸設され、当該調高レバー２３と調低レバー２４が門型レバーで、支持板２１に軸設穴４が設けられ、調高レバー２３と調低レバー２４の端部５が支持板２１の軸設穴４に軸設され(図４のように)、また、当該基部２０の上に、予めに複数の槽２５が設けられ、槽２５の両側に、必要に応じて調高レバー２３や調低レバー２４を選択するための突出状のストッパー２６があり、基部２０の槽２５とストッパー２６によって位置付けられ、必要に応じて高さを調整出来るヨガボディービル補助器である(図２、３のように)。